(57)【特許請求の範囲】
【請求項１】
ネットワークに接続され、前記ネットワークを介して映像データの送受信をし、前記ネットワークを介して受信した制御情報に基づいて動作変更を行う監視装置において、
前記監視装置または前記ネットワーク上の他の監視装置に関する識別子と、該監視装置に設定される前記制御情報に対応する設定情報と、から成るテキスト文の電子メールの受信機能手段と、
前記受信した電子メールのテキスト文が含む前記識別子が自局装置のものであるか否かと該テキスト文の設定情報とを解読して、前記制御情報を生成する機能手段と、
前記ネットワーク上の各監視装置の識別子としての名前あるいは電子メールアドレスと、属するグループと、を知る手段と、
前記テキスト文の解読の結果、該識別子が他局装置のものであれば、前記識別子を有する監視装置に該テキスト文の電子メールを送信する機能手段と、を有することを特徴とするネットワーク対応装置。
【請求項２】
前記テキスト文は、前記識別子として、前記監視装置の名前、及び、複数の前記監視装置が属するグループ名を用いることができ、
前記受信した電子メールのテキスト文が含む前記識別子が、自分の属するグループ名であると解読されたときは、前記生成する機能手段は前記制御情報を生成し、他のグループ名であると解読されたときは、前記送信する機能手段は該他のグループに属する監視装置のそれぞれに該テキスト文の電子メールを送信し、
前記制御情報は、監視カメラの電源をオンとする情報、若しくは、監視用マイクの電源をオフとする情報のいずれかを含むことを特徴とする請求項１記載の監視装置。
【発明の詳細な説明】
【０００１】
【発明の属する技術分野】
本発明は、ネットワークを介して遠隔制御可能なネットワーク対応装置に関するものである。
【０００２】
【従来の技術】
ネットワークを介して遠隔制御可能なネットワーク対応装置の一つ例として、監視装置がある。この監視装置には、特定の監視領域の映像データあるいは音データの監視情報を収集する監視カメラおよび監視用マイクが接続されており、ネットワークを介して監視端末装置などに監視情報を送信するものである。
【０００３】
ネットワーク対応装置としての監視装置は、ネットワークのプロトコルのひとつであるＦＴＰ（File Transfer Protocol）機能、もしくはウエブサーバ機能を用いて、監視装置自身あるいは監視装置に接続されている監視カメラや監視用マイクなどの動作変更を指示する制御情報が含まれる設定ファイルを受信する。この設定ファイルは、やはりネットワーク対応装置の一つの例としての監視装置を制御する、ネットワーク上の監視制御装置から送信される。そして、監視装置は、設定ファイルに含まれる制御情報を監視装置自身あるいは監視装置に接続されて監視映像をとらえる監視カメラなどに設定して動作環境を変更する。
【０００４】
【発明が解決しようとする課題】
従来技術では、ネットワークを介して制御情報が含まれる設定ファイルを送信して、ネットワーク対応装置自身、たとえば上述のような監視装置自身あるいは監視装置に接続されている監視カメラや監視用マイクなどの動作環境を変更する遠隔制御には、ＦＴＰ機能およびテキスト編集機能、またはホームページブラウザ機能などの高い機能を有する監視制御装置が必要であった。動作変更を指示する制御情報は、動作変更されるネットワーク対応装置に直接設定される情報であるために、特殊な文字列のデータを作成しなければならず、ネットワーク対応装置への誤設定の原因となる。また、ネットワーク上に複数のネットワーク対応装置が存在した場合、それぞれのネットワーク対応装置を指定して接続直して制御情報が含まれる設定ファイルの送信操作を行うという、煩わしい手順を踏まなければなず、複数のネットワーク対応装置の効率の良い動作環境の変更を行うことができなかった。
【０００５】
【課題を解決するための手段】
ネットワークに接続され、前記ネットワークを介して情報の送受信をし、前記ネットワークを介して受信した制御情報に基づいて動作変更を行うネットワーク対応装置において、
前記ネットワーク対応装置の識別子または前記ネットワーク上の他のネットワーク対応装置の識別子と前記ネットワーク対応装置に設定される前記制御情報に対応する設定情報とから成るテキスト文の電子メールの送受信機能を有し、
前記受信した電子メールのテキスト文のネットワーク対応装置の識別子が自局装置のものであるか否かと前記受信した電子メールのテキスト文の設定情報を解読して前記制御情報を生成することの機能を有し、
前記受信した電子メールのテキスト文の解読の結果、ネットワーク対応装置の識別子が他局装置のものであれば、前記識別子を有するネットワーク対応装置に前記テキスト文の電子メールを送信する機能を有するようにしたものである。
【０００６】
このようなネットワーク対応装置とすることにより、ＦＴＰ機能およびテキスト編集機能、またはホームページブラウザ機能などの高い機能を有する専用の制御装置の代わりに、電子メールの送受信できる安価な携帯電話機や携帯電子メール端末装置などにより、いつでもどこからでも動作変更の指示の内容であるネットワーク対応装置の識別子（具体的には電子メールアドレスあるいはＩＰ（Ｉｎｔｅｒｎｅｔ  Ｐｒｏｔｏｃｏｌ）アドレスなど）と制御情報に対応する設定情報とから成るテキスト文の電子メールを作成して、ネットワークを介して複数のネットワーク対応装置へ送信できるようになる。ネットワーク対応装置は、受信したテキスト文の電子メールの動作変更の内容を解読して、動作変更の内容をネットワーク対応装置に設定される制御情報に変換して、ネットワーク対応装置に設定し動作変更を行うことができるようになる。
【０００７】
また、受信したテキスト文の電子メールの動作変更の内容が他の練ったワーク対応装置にも該当するのであれば、他のネットワーク対応装置にも当該動作変更の内容のテキスト文の電子メールを送信する。このようにすることで、一回の動作変更の内容のテキスト文の電子メールの送信操作で一括して複数のネットワーク対応装置の遠隔制御を行うことができるようになる。
【０００８】
【発明の実施の形態】
以下、本発明のネットワーク対応装置の動作説明として、従来技術で述べたネットワーク対応の監視装置の例で説明する。
【０００９】
本発明のネットワーク対応装置の一例としての監視装置は、たとえば図１のようなネットワーク対応監視システム構成で使用される。図１のネットワーク対応監視システムは、遠隔地の特定の領域における映像データおよび音データの監視情報を収集して、ネットワークを介して監視端末装置などに監視情報を送信し、その映像データを表示し、または音データをスピーカに出力して、前記遠隔地の特定の領域に侵入する侵入物体を検出し、あるいは運用者が監視できるようにするものである。１０１は電子メール端末装置、１０２は電子メール機能を持つ携帯電話機、１０４〜１０８は監視装置、１０３はネットワークである。電子メール端末装置１０１および携帯電話機１０２は、ネットワーク１０３経由で監視装置１０４〜１０８と電子メールを送受信できる。監視装置１０４〜１０８には、電子メールの送受信機能を有し、さらに監視装置の識別子と監視装置の動作変更の内容を指示する制御情報に対応する設定情報から成るテキスト文の電子メールの受信から、識別子が自局宛のものであるか否かおよび設定情報を解読して、設定情報から制御情報に変換する機能を有している。監視装置１０４〜１０６には監視カメラ１０９〜１１１が、監視装置１０７、１０８には監視用マイク１１２、１１３がそれぞれ接続されており、映像データおよび音声データの監視情報が収集される。映像データおよび音声データの監視情報は、監視装置１０４〜１０８によってネットワーク１０３を介して監視端末装置１１４に送信される。なお、各監視装置は管理のために映像系グループ１１５と音声系グループ１１６に分類されている。また、監視装置１０４〜１０８のそれぞれの装置は、ネットワーク１０３に接続された各監視装置の識別子としての名前あるいは電子メールアドレス、およびどこに属するグループであるかを知る手段を有している。
【００１０】
図２は、監視装置１０４〜１０８が送受信する電子メールのテキスト文の内容の一例を示している。電子メールのテキスト文の行２０１は、監視装置１０６を示す識別子としての名前“ＤＥＶＩＣＥ３”に“監視カメラ１１１の電源をオンにする”ことを指示している動作変更の内容の設定情報を示している。電子メールのテキスト文の行２０２は、識別子としてのグループ名“ＧＲＯＵＰ２”に属する監視装置１０７、１０８に“監視用マイクの電源をオフにする”（すなわち、監視用マイク１１２、１１３の電源がオフとなる）ことを指示している動作変更の内容の設定情報を示している。
【００１１】
以下、本発明のネットワーク対応装置の一例としての監視装置の動作を図１と図２を用いて説明する。
【００１２】
監視装置１０６に接続されている監視カメラ１１１の電源をオンとし、監視装置１０７、１０８にそれぞれに接続されている監視用マイク１１２、１１３の電源をオフとしたい場合、電子メール端末装置１０１あるいは携帯電話機１０２から、ネットワーク１０３を介して、監視装置１０４〜１０８のいずれかの監視装置に図２で示された内容のテキスト文の電子メールを送信する。以下では、監視装置１０４にこの電子メールが送信されたとする。
【００１３】
監視装置１０４は、図２の受信した電子メールのテキスト文の行２０１、２０２を解読すると、行２０１の“ＤＥＶＩＣＥ３”ですなわち監視装置１０６宛てと解読し、この行２０１のテキスト文のみを電子メールで監視装置１０６に送信する。監視装置１０６は、受信した電子メールを解読して、テキスト文の行２０１の“ＤＥＶＩＣＥ３”が自分装置宛と解読する。すると、監視装置１０６は、テキスト文の行２０１の次の設定情報が記されている文字列“ＣＡＭ＝ＯＮ”を解読して、“監視カメラの電源をオンとする“と解読する。すると、監視装置１０６は、設定情報から監視カメラ１１１の電源をオンとする制御情報を生成して監視カメラ１１１へ設定する。この制御情報を受けた監視カメラ１１１には、電源が入れられることとなる。
【００１４】
同様に、監視装置１０４は、図２の受信した電子メールのテキスト文のもう一つの行２０２が“ＧＲＯＵＰ２”、すなわち監視装置１０７、１０８宛てと解読し、この行２０２のテキスト文のみを電子メールで監視装置１０７、１０８に送信する。監視装置１０７、１０８は、受信した電子メールのテキスト文の行２０２の“ＧＲＯＵＰ２”は自分が属するグループであると解読して、次の設定情報が記されている文字列“ＭＩＣ＝ＯＦＦ”を解読して、“監視用マイクをオフとする“と解読する。すると、監視装置１０７、１０８は、この設定情報から監視用マイク１１２、１１３の電源をオフとする制御情報を生成して、監視マイク１１２、１１３へ設定する。この制御情報を受けた監視用マイク１１２、１１３には、電源が切られることとなる。
【００１５】
以上の説明では、動作変更の対象が本発明のネットワーク対応装置の一例としての監視装置１０４〜１０８に接続されている監視カメラや監視用マイクであったが、言うまでもなく本発明のネットワーク対応装置の一例としての監視装置１０４〜１０８の動作変更も設定情報の内容を書き換えることにより容易にできる。
【００１６】
【発明の効果】
本発明によれば、専用の装置を使うことなく、電子メールが送信できる電子メール端末装置や携帯電話機などの安価な端末機器から、いつでもどこからでも複数のネットワーク対応装置に対して一括の遠隔制御ができるようになるため、ネットワーク対応装置および該ネットワーク対応装置に接続される他の装置の動作変更を効率的に行うことができるようになる。
【図面の簡単な説明】
【図１】  本発明の一実施例のネットワーク対応装置としての監視装置から成るネットワーク対応監視システムの一例を示す構成図
【図２】  本発明の一実施例のネットワーク対応装置としての監視装置への電子メールの内容の一例を示す図
【符号の説明】
１０１：電子メール端末装置、１０２：携帯電話機、１０３：ネットワーク、１０４〜１０８：監視装置、１０９〜１１１：監視カメラ、１１２、１１３：監視用マイク、１１４：監視端末装置、１１５：映像系グループ、１１６：音声系グループ、２０１、２０２：電子メールのテキスト文の行
【図１】
0004416963.tif 000002
【図２】
0004416963.tif 000003